(57)【要約】【課題】照明制御システムの設定を正確かつ容易にする。【解決手段】受信回路２１０は、センサ電圧増幅率（換算係数）を表わす設定値データ（換算係数データ）を受信する。可変増幅器２３０（換算回路）は、受信回路２１０が受信したセンサ電圧増幅率に基づいて、照度センサ８１０が測定した反射光の強さを表わすセンサ電圧を増幅して増幅電圧とすることにより、反射光の強さを明るさに換算する。調光信号生成部２２８（調光信号生成回路）は、可変増幅器２３０が増幅した増幅電圧に基づいて、照明器具８２０の調光度を制御する調光信号を生成する。【選択図】図３
2010251170.tif 000002
【特許請求の範囲】
【請求項１】
照明器具の調光度を制御する照明制御装置において、
換算係数を表わす換算係数データを受信する受信回路と、
上記照明器具が照射する範囲における反射光の強さを測定する照度センサが測定した反射光の強さと、上記受信回路が受信した換算係数データが表わす換算係数とに基づいて、反射光の強さを明るさに換算する換算回路と、
上記換算回路が換算した明るさに基づいて、上記照明器具の調光度を制御する調光信号を生成する調光信号生成回路とを有することを特徴とする照明制御装置。
【請求項２】
上記受信回路は、上記換算係数として増幅率を表わす換算係数データを受信し、
上記換算回路は、増幅率が可変の可変増幅回路であり、上記照度センサが測定した反射光の強さを表わすセンサ電圧を入力し、上記受信回路が受信した換算係数データが表わす増幅率に基づいて、入力したセンサ電圧を増幅して、増幅電圧を生成し、
上記調光信号生成回路は、上記換算回路が生成した増幅電圧に基づいて、上記調光信号を生成することを特徴とする請求項１に記載の照明制御装置。
【請求項３】
上記受信回路は、上記換算係数データに加えて、目標とする明るさを表わす目標データを受信し、
上記調光信号生成回路は、上記換算回路が換算した明るさと、上記受信回路が受信した目標データとに基づいて、上記調光信号を生成することを特徴とする請求項１または請求項２に記載の照明制御装置。
【請求項４】
上記受信回路は、赤外線通信により上記換算係数データを受信することを特徴とする請求項１乃至請求項３のいずれかに記載の照明制御装置。
【請求項５】
データを処理する処理装置と、
上記処理装置を用いて、照明器具の設置位置と、上記照明器具が照射する範囲における反射光の強さを測定する照度センサの設置位置と、上記照明器具が照射する範囲の光反射率とに基づいて、上記照明器具を１００％調光した場合に上記照度センサが測定する反射光の強さを算出する反射光算出部と、
上記処理装置を用いて、上記反射光算出部が算出した反射光の強さに基づいて、上記照度センサが測定する反射光の強さを明るさに換算する換算係数を算出する換算係数算出部とを有することを特徴とする換算係数算出装置。
【請求項６】
上記換算係数算出装置は、
上記処理装置を用いて、上記反射光算出部が算出した強さの反射光を上記照度センサが測定した場合に出力するセンサ電圧を算出し、算出したセンサ電圧で所定の基準電圧を割った商を算出し、算出した商を増幅率とする増幅率算出部を有し、
上記増幅率算出部が算出した増幅率を上記換算係数とすることを特徴とする請求項５に記載の換算係数算出装置。
【請求項７】
請求項５または請求項６に記載の換算係数算出装置と、上記照明器具が照射する範囲における反射光の強さを測定する照度センサと、上記換算係数算出装置が算出した換算係数を表わす換算係数データを受信する請求項１乃至請求項４のいずれかに記載の照明制御装置と、上記照明制御装置が生成した調光信号にしたがって、指定された調光度で光源を点灯する照明器具とを有することを特徴とする照明制御システム。
【発明の詳細な説明】
【技術分野】
【０００１】
この発明は、照度センサが測定した照度に基づいて照明の調光度を制御する照明制御装置に関する。
【背景技術】
【０００２】
室内などの明るさを測定し、測定した明るさに基づいて照明の調光度を制御することにより、必要な明るさを確保する照明制御システムがある。このような照明制御システムは、例えば昼間、外光が差し込んでいるときには、照明の調光度を低くすることにより、省エネを実現する。
明るさの測定は、例えば、照度センサを照明からの直接光が入らない位置に設置し、床面などからの反射光の強さを測定する。
照明器具と照度センサとの位置関係、床面の反射率などにより、室内の明るさが同じであっても、照度センサが測定する反射光の強さが異なる場合がある。このため、照度センサが測定した反射光の強さを、室内の明るさに換算する必要がある。
換算係数の設定は、例えば、外光を完全に遮った状態で、照明を調光度１００％で点灯し、照度センサが反射光の強さを測定することにより行う。
【先行技術文献】
【特許文献】
【０００３】
【特許文献１】特開平１０−１０６７５７号公報
【発明の概要】
【発明が解決しようとする課題】
【０００４】
ブラインドやカーテンを下ろすなどの方法により外光を遮る場合、外光を完全には遮ることができず、正しく設定できない可能性がある。また、外光のない夜間などに設定作業を行う場合、作業コストがかかる。
この発明は、例えば、上記のような課題を解決するためになされたものであり、外光を遮ることなく、照明制御システムの設定を行うことを目的とする。
【課題を解決するための手段】
【０００５】
この発明にかかる照明制御装置は、照明器具の調光度を制御する照明制御装置において、換算係数を表わす換算係数データを受信する受信回路と、上記照明器具が照射する範囲における反射光の強さを測定する照度センサが測定した反射光の強さと、上記受信回路が受信した換算係数データが表わす換算係数とに基づいて、反射光の強さを明るさに換算する換算回路と、上記換算回路が換算した明るさに基づいて、上記照明器具の調光度を制御する調光信号を生成する調光信号生成回路とを有することを特徴とする。
【発明の効果】
【０００６】
この発明にかかる照明制御装置によれば、部屋の違いに関わらず、照明器具の調光度を適切に制御することができる。照明制御装置の設定のために外光を完全に遮る必要がないので、正しい設定ができるとともに、作業コストを削減することができる。
【図面の簡単な説明】
【０００７】
【図１】実施の形態１における照明制御システム８００の全体構成の一例を示すシステム構成図。
【図２】実施の形態１におけるパソコン１００の機能ブロックの構成の一例を示すブロック構成図。
【図３】実施の形態１におけるコントローラ装置２００の機能ブロックの構成の一例を示すブロック構成図。
【図４】実施の形態１における室内の明るさとセンサ電圧及び増幅電圧との関係の一例を示す図。
【図５】実施の形態２におけるコントローラ装置２００の機能ブロックの構成の一例を示すブロック構成図。
【図６】実施の形態３におけるコントローラ装置２００の機能ブロックの構成の一例を示すブロック構成図。
【発明を実施するための形態】
【０００８】
実施の形態１．
実施の形態１について、図１〜図４を用いて説明する。
【０００９】
図１は、この実施の形態における照明制御システム８００の全体構成の一例を示すシステム構成図である。
照明制御システム８００は、照明器具８２０、コントローラ装置２００、リモコン８３０、照度センサ８１０、パソコン１００を有する。
照明器具８２０は、例えば天井などに設置され、放電灯などの光源を点灯する。照明器具８２０は、調光信号などコントローラ装置２００からの指示を表わす制御信号を入力し、入力した制御信号の指示にしたがって指示された調光度で光源を点灯し、あるいは、消灯する。なお、照明器具８２０は、複数あってもよい。
コントローラ装置２００は、調光信号など照明器具８２０を制御する制御信号を生成する。コントローラ装置２００は、例えば信号線などにより照明器具８２０と接続されている。コントローラ装置２００が生成した制御信号は、コントローラ装置２００と照明器具８２０とを接続する信号線などを介して、照明器具８２０に伝達される。
利用者は、リモコン８３０を操作することにより、光源を点灯し、消灯し、あるいは点灯時の明るさを指示する。リモコン８３０は、利用者の操作を入力し、入力した操作の内容を表わす信号を、コントローラ装置２００に対して送信する。リモコン８３０が送信した信号は、例えば赤外線通信やその他の無線通信などにより、コントローラ装置２００に伝達される。コントローラ装置２００は、リモコン８３０が送信した信号を受信し、受信した信号に基づいて制御信号を生成する。
照度センサ８１０は、例えば天井など照明器具８２０の光源からの直接光が入らない位置に設置され、床面など照明器具８２０の光源が照射する範囲における反射光の強さを測定する。照度センサ８１０は、測定した反射光の強さを表わす信号を生成する。例えば、照度センサ８１０は、測定した反射光の強さに比例する電圧（以下「センサ電圧」と呼ぶ。）を生成する。照度センサ８１０は、例えば信号線などによりコントローラ装置２００と接続されている。なお、照度センサ８１０は、コントローラ装置２００が内蔵するものであってもよい。照度センサ８１０が生成したセンサ電圧などの信号は、信号線などを介してコントローラ装置２００に伝達される。コントローラ装置２００は、照度センサ８１０が生成したセンサ電圧などの信号を入力し、入力した信号が表わす反射光の強さに基づいて、光源の調光度を決定する。例えば、昼間など外光が窓などから入射する場合には、調光度を低くしても室内の明るさを所望の明るさにすることができるので、調光度を低くすることにより、省エネを図る。
パソコン１００は、コントローラ装置２００に設定する設定値を算出する。パソコン１００が算出した設定値は、コントローラ装置２００に伝達される。パソコン１００とコントローラ装置２００とがケーブルやネットワークなどを介して接続し、パソコン１００がコントローラ装置２００に対して設定値を表わすデータ（以下「設定値データ」と呼ぶ。）を送信することにより、設定値をコントローラ装置２００に伝達する。あるいは、パソコン１００が設定値データを記憶媒体に記憶させ、コントローラ装置２００が記憶媒体から設定値データを読み出すことにより、設定値を取得する構成であってもよい。または、設定値データを携帯電話などの端末装置に一時的にダウンロードし、例えば携帯電話の赤外線通信機能を使って、コントローラ装置２００に対して設定値データを送信する構成であってもよい。その場合、コントローラ装置２００は、リモコン８３０からの信号を受信する赤外線受信装置を用いて、設定値データを受信することができるので、設定値データを受信するための装置を別途用意する必要がなく、コントローラ装置２００の製造コストを削減できるので、好ましい。
【００１０】
図２は、この実施の形態におけるパソコン１００の機能ブロックの構成の一例を示すブロック構成図である。
パソコン１００（換算係数算出装置）は、コントローラ装置２００に設定する設定値を算出する。コントローラ装置２００に設定する設定値には、例えば、上限調光率、下限調光率、照度センサ動作設定、人感センサ動作設定、センサ電圧増幅率などがある。センサ電圧増幅率（換算係数）とは、コントローラ装置２００が内蔵する可変増幅器が、照度センサ８１０が出力したセンサ電圧を増幅する増幅率のことである。
照度センサ８１０は、本来、室内の明るさを測定するために設置するものであるが、照度センサ８１０が実際に測定するのは、照度センサ８１０に入射する反射光の強さである。照度センサ８１０に入射する反射光の強さは、部屋の形状、床面など光を反射する反射面の反射率、照明器具８２０との位置関係などにより異なる。この差を打ち消すよう、センサ電圧増幅率を設定することにより、照度センサ８１０が測定した反射光の強さを室内の明るさに換算する。
パソコン１００は、部屋形状記憶部１１１、反射率記憶部１１２、照明器具記憶部１２１、照明器具配置記憶部１２２、照度センサ記憶部１３１、照度センサ配置記憶部１３２、基準電圧記憶部１４１、照度算出部１５１、反射光算出部１５２、センサ電圧算出部１５３、増幅率算出部１５４、増幅率出力部１６１を有する。
パソコン１００は、処理装置（以下「ＣＰＵ９１１」と呼ぶ。）、磁気ディスク装置（以下「ＨＤＤ９２０」と呼ぶ。）などを有し、ＨＤＤ９２０などの記憶装置が記憶したプログラムを実行して、ＨＤＤ９２０などの記憶装置が記憶したデータを処理することにより、これらの機能ブロックを実現する。
【００１１】
部屋形状記憶部１１１は、ＨＤＤ９２０を用いて、あらかじめ、照明器具８２０が設置される部屋などの形状を表わすデータ（以下「部屋形状データ」と呼ぶ。）を記憶している。
反射率記憶部１１２は、ＨＤＤ９２０を用いて、あらかじめ、照明器具８２０が設置される部屋などの床面・壁面など光を反射する反射面の反射率を表わすデータ（以下「反射率データ」と呼ぶ。）を記憶している。
照明器具記憶部１２１は、ＨＤＤ９２０を用いて、照明器具８２０の機種名、配光特性、調光可能範囲など照明器具８２０を表わすデータ（以下「照明器具データ」と呼ぶ。）を記憶している。
照明器具配置記憶部１２２は、ＨＤＤ９２０を用いて、部屋のなかで照明器具８２０を配置する位置や向きなど、照明器具８２０の配置に関するデータ（以下「照明器具配置データ」と呼ぶ。）を記憶している。
照度センサ記憶部１３１は、ＨＤＤ９２０を用いて、照度センサ８１０の機種名、特性など照度センサ８１０を表わすデータ（以下「照度センサデータ」と呼ぶ。）を記憶している。
照度センサ配置記憶部１３２は、ＨＤＤ９２０を用いて、部屋のなかで照度センサ８１０を配置する位置や向きなど、照度センサ８１０の配置に関するデータ（以下「照度センサ配置データ」と呼ぶ。）を記憶している。
これらのデータは、照明器具８２０を設置する部屋などの環境を表わす環境データの一例である。環境データには、例えば建物の設計時のＣＡＤデータや、照明設計時に照明計算ソフトが使用したデータを利用することができる。
【００１２】
基準電圧記憶部１４１は、ＨＤＤ９２０を用いて、基準電圧を表わすデータ（以下「基準電圧データ」と呼ぶ。）を記憶している。基準電圧には、後述するマイコン２２０が内蔵するアナログデジタル変換器（以下「ＡＤＣ２２３」と呼ぶ。）の入力範囲を最大限活用できるよう、ＡＤＣ２２３の最大入力電圧に対して例えば８０％程度の値を設定しておく。
【００１３】
照度算出部１５１は、ＣＰＵ９１１を用いて、部屋形状記憶部１１１が記憶した部屋形状データと、照明器具記憶部１２１が記憶した照明器具データと、照明器具配置記憶部１２２が記憶した照明器具配置データとに基づいて、外光が完全に遮られた状態で、照明器具８２０を１００％調光で点灯した場合における部屋の各部の照度を算出する。なお、照度算出部１５１が部屋の各部の照度を算出するのではなく、照度記憶部を設け、照明設計時に照明計算ソフトなどが算出した照度を照度記憶部が記憶しておく構成としてもよい。
【００１４】
反射光算出部１５２は、ＣＰＵ９１１を用いて、反射率記憶部１１２が記憶した反射率データと、照度算出部１５１が算出した照度と、照度センサ配置記憶部１３２が記憶した照度センサ配置データとに基づいて、照度センサ８１０に入射する反射光の強さを算出する。
センサ電圧算出部１５３は、ＣＰＵ９１１を用いて、反射光算出部１５２が算出した反射光の強さと、照度センサ記憶部１３１が記憶した照度センサデータとに基づいて、照度センサ８１０が出力するセンサ電圧を算出する。
増幅率算出部１５４（換算係数算出部）は、ＣＰＵ９１１を用いて、センサ電圧算出部１５３が算出したセンサ電圧と、基準電圧記憶部１４１が記憶した基準電圧データとに基づいて、センサ電圧増幅率を算出する。増幅率算出部１５４は、基準電圧をセンサ電圧で割った商を算出して、センサ電圧増幅率とする。
増幅率出力部１６１は、ＣＰＵ９１１を用いて、増幅率算出部１５４が算出したセンサ電圧増幅率を出力する。
【００１５】
図３は、この実施の形態におけるコントローラ装置２００の機能ブロックの構成の一例を示すブロック構成図である。
コントローラ装置２００は、受信回路２１０、マイコン２２０、可変増幅器２３０、リモコン受光回路２４０を有する。
【００１６】
受信回路２１０は、パソコン１００から直接あるいは間接に送信された設定値データを受信する。受信回路２１０が受信した設定値データには、センサ電圧増幅率が含まれる。受信回路２１０は、受信した設定値データを出力する。
可変増幅器２３０（可変増幅回路、換算回路）は、増幅率を変えることができる増幅器である。可変増幅器２３０は、照度センサ８１０が出力したセンサ電圧を入力し、マイコン２２０が指示する増幅率にしたがって、入力したセンサ電圧を増幅し、増幅した電圧（以下「増幅電圧」と呼ぶ。）を出力する。なお、増幅率が１以下の場合もあるので、増幅電圧は、必ずしもセンサ電圧より大きいとは限らない。
リモコン受光回路２４０は、例えば赤外線受信回路であり、リモコン８３０が送信した信号を受信する。リモコン受光回路２４０は、受信した信号を出力する。
【００１７】
なお、図示していないが、コントローラ装置２００は、動作状態をモニタするため、動作状態を表示するＬＥＤなどの表示装置を有していてもよい。
【００１８】
マイコン２２０（処理装置）は、プログラムやデータを記憶するＲＯＭやＲＡＭを内蔵し、ＲＯＭが記憶したプログラムを実行することにより、ＲＯＭやＲＡＭが記憶したデータを処理し、以下に説明する機能ブロックを実現する。また、マイコン２２０は、ＡＤＣ２２３を内蔵し、外部とデジタル信号をやり取りするだけでなく、ＡＤＣ２２３によりアナログ信号をデジタル信号に変換して入力する。
マイコン２２０は、増幅率記憶部２２１、増幅率制御信号生成部２２２、ＡＤＣ２２３、目標記憶部２２４、明るさ比較部２２５、調光度記憶部２２６、調光度増減部２２７、調光信号生成部２２８を有する。
【００１９】
増幅率記憶部２２１は、受信回路２１０が受信した設定値データからセンサ電圧増幅率を取得して、記憶する。
増幅率制御信号生成部２２２は、増幅率記憶部２２１が記憶したセンサ電圧増幅率に基づいて、可変増幅器２３０に増幅率を指示する増幅率制御信号を生成する。増幅率制御信号生成部２２２が生成した増幅率制御信号は、可変増幅器２３０が入力し、可変増幅器２３０は、入力した増幅率制御信号によって指示された増幅率に基づいて、センサ電圧を増幅する。
【００２０】
ＡＤＣ２２３は、アナログ電圧を入力して、デジタルデータに変換する。ＡＤＣ２２３は、例えば、０Ｖ〜５Ｖの範囲の電圧を入力して、８ビットのデジタルデータに変換する。この場合、ＡＤＣ２２３は、入力電圧を２５６段階に変換するので、分解能は、１ビット当たり約０．０１Ｖである。ＡＤＣ２２３は、可変増幅器２３０が増幅した増幅電圧を入力し、入力した増幅電圧をデジタルデータに変換したデータ（以下「増幅電圧データ」と呼ぶ。）を出力する。
【００２１】
目標記憶部２２４は、リモコン受光回路２４０が受信した信号に基づいて、利用者が指定した所望の明るさを表わすデータ（以下「目標データ」と呼ぶ。）を取得し、記憶する。
明るさ比較部２２５は、ＡＤＣ２２３が出力した増幅電圧データと、目標記憶部２２４が記憶した目標データとを比較して、大小関係を判定する。
調光度記憶部２２６は、照明器具８２０の光源の調光度を表わすデータ（以下「調光度データ」と呼ぶ。）を記憶している、。
調光度増減部２２７は、明るさ比較部２２５の判定結果に基づいて、増幅電圧データが目標データより大きい場合は、調光度記憶部２２６が記憶した調光度データを更新して、調光度を下げる。逆に、増幅電圧データが目標データより小さい場合、調光度増減部２２７は、調光度記憶部２２６が記憶した調光度データを更新して、調光度を上げる。調光度記憶部２２６は、調光度増減部２２７が更新した調光度データを記憶する。増幅電圧データが目標データと等しい場合、調光度増減部２２７は、調光度記憶部２２６が記憶した調光度データを更新せず、調光度をそのままに保つ。
調光信号生成部２２８（調光信号生成回路）は、調光度記憶部２２６が記憶した調光度データに基づいて、調光信号を生成する。調光信号生成部２２８が生成した調光信号は、照明器具８２０に伝達される。照明器具８２０は、伝達された調光信号に基づいて、指定された調光度で光源を点灯する。
【００２２】
図４は、この実施の形態における室内の明るさとセンサ電圧及び増幅電圧との関係の一例を示す図である。
上述したように、部屋によって、同じ明るさでも照度センサ８１０が出力するセンサ電圧は異なる場合がある。例えば、外光を完全に遮った状態で照明器具８２０を調光度１００％で点灯した場合、センサ電圧は、部屋ａでｖ１、部屋ｂでｖ２、部屋ｃでｖ３というように、部屋によって異なる。なお、電圧Ｖｍは、ＡＤＣ２２３が入力する電圧範囲の最大値であり、例えば５Ｖである。
可変増幅器２３０は、パソコン１００が算出したセンサ電圧増幅率を、増幅率制御信号生成部２２２が生成した増幅率制御信号により指示され、指示された増幅率でセンサ電圧を増幅する。例えば、部屋ａでは、センサ電圧がｖ１のとき、増幅電圧が基準電圧ｖ０になる増幅率で、可変増幅器２３０がセンサ電圧を増幅する。部屋ｂでは、センサ電圧がｖ２のとき、増幅電圧が基準電圧ｖ０になる増幅率で、可変増幅器２３０がセンサ電圧を増幅する。部屋ｃでは、センサ電圧がｖ３のとき、増幅電圧が基準電圧ｖ０になる増幅率で、可変増幅器２３０がセンサ電圧を増幅する。
これにより、いずれの部屋においても、外光を完全に遮った状態で照明器具８２０を調光度１００％で点灯した場合に、増幅電圧が基準電圧ｖ０になる。したがって、コントローラ装置２００は、増幅電圧を基準にして調光度を決定することにより、外光を完全に遮った状態で照明器具８２０を調光度１００％で点灯した場合の部屋の明るさを基準とした調光が可能となる。
【００２３】
このように、パソコン１００（換算係数算出装置）が算出したセンサ電圧増幅率（換算係数）を、可変増幅器２３０の増幅率として設定することにより、増幅率設定のため、実際に外光を完全に遮る必要がないので、正しく設定をすることができるとともに、作業コストを削減することができる。
【００２４】
なお、可変増幅器２３０が増幅した増幅電圧をマイコン２２０が入力するのではなく、照度センサ８１０が出力したセンサ電圧をマイコン２２０が直接入力し、センサ電圧増幅率を乗じる演算をする構成としてもよいが、以下の点で、可変増幅器２３０が増幅した増幅電圧をマイコン２２０が入力する構成のほうが好ましい。
第一に、部屋ｂの例のように、反射面の反射率が高いなど、照度センサ８１０が出力するセンサ電圧が高くなる場合、ＡＤＣ２２３の入力電圧範囲を超える可能性がある。ＡＤＣ２２３の入力範囲を超える電圧を入力すると、マイコン２２０は部屋の明るさを区別できないので、可変増幅器２３０が１よりも小さい増幅率でセンサ電圧を増幅し、ＡＤＣ２２３の入力範囲内に収まる増幅電圧に変換してから、ＡＤＣ２２３に入力するほうが好ましい。
第二に、部屋ｃの例のように、反射面の反射率が低いなど、照度センサ８１０が出力するセンサ電圧が低くなる場合は、ＡＤＣ２２３の入力電圧範囲内に収まるが、センサ電圧を直接入力すると、ＡＤＣ２２３の入力電圧範囲の一部しか使わないことになる。これは、実質的に、ＡＤＣ２２３が出力するデジタルデータのビット数が減ったのと同じであり、分解能が低下する。すなわち、量子化誤差により、マイコン２２０は部屋の明るさの微妙な違いを区別できなくなる。これに対し、可変増幅器２３０が１よりも大きい増幅率でセンサ電圧を増幅し、ＡＤＣ２２３の入力電圧範囲を最大限利用する増幅電圧に変換してから、ＡＤＣ２２３に入力すれば、実質的にＡＤＣ２２３の分解能が高くなるので、マイコン２２０は、部屋の明るさの微妙な違いを区別でき、より最適な調光度を求めることができる。
【００２５】
この実施の形態におけるコントローラ装置２００（照明制御装置）は、受信回路２１０が換算係数データ（設定値データ）を受信し、受信した換算係数データが表わす換算係数（センサ電圧増幅率）に基づいて、照度センサ８１０が測定した反射光の強さ（センサ電圧）を、換算回路（可変増幅器２３０）が明るさ（増幅電圧）に換算し、換算した明るさに基づいて、調光信号生成回路（調光信号生成部２２８）が調光信号を生成するので、部屋の違いに関わらず、照明器具８２０の調光度を適切に制御することができる。コントローラ装置２００の設定のために外光を完全に遮る必要がないので、正しい設定ができるとともに、作業コストを削減することができる。
【００２６】
この実施の形態におけるパソコン１００（換算係数算出装置）は、照明器具８２０を１００％調光した場合に照度センサ８１０が測定する反射光の強さを反射光算出部１５２が算出し、算出した反射光の強さに基づいて、換算係数算出部（増幅率算出部１５４）が換算係数（センサ電圧増幅率）を算出するので、部屋の違いに関わらず、照明器具８２０の調光度を適切に制御するための換算係数を算出することができる。
【００２７】
実施の形態２．
実施の形態２について、図５を用いて説明する。
なお、実施の形態１と共通する部分については、同一の符号を付し、説明を省略する。
【００２８】
図５は、この実施の形態におけるコントローラ装置２００の機能ブロックの構成の一例を示すブロック構成図である。
受信回路２１０が受信する設定値データは、センサ電圧増幅率に加えて、目標データを含む。
目標記憶部２２４は、リモコン受光回路２４０がリモコン８３０からの信号を受信した場合に加え、受信回路２１０が設定値データを受信した場合に、設定値データに含まれる目標データを記憶する。
【００２９】
このように、コントローラ装置２００が、室内の明るさの目標を、リモコン８３０からの指示により設定するだけでなく、受信回路２１０が受信した設定値データに基づいて設定することにより、利用者はリモコン８３０を操作することなく、パソコン１００の画面上でコントローラ装置２００の設定を変更し、室内の明るさを変えることができる。また、例えば、複数のコントローラ装置２００の目標データを一斉に変更することができるなど、システム全体としての運用を容易にすることができる。
【００３０】
なお、コントローラ装置２００は、更に、送信装置を有し、増幅率記憶部２２１が記憶したセンサ電圧増幅率や目標記憶部２２４が記憶した目標データなどの設定値データを、送信装置がパソコン１００に対して送信する構成であってもよい。そうすれば、パソコン１００側で、コントローラ装置２００に設定された設定値をモニタすることができ、必要があれば、設定値を変更してコントローラ装置２００に対して再送信するなど、柔軟な運用ができる。
【００３１】
実施の形態３．
実施の形態３について、図６を用いて説明する。
なお、実施の形態１と共通する部分については、同一の符号を付し、説明を省略する。
【００３２】
図６は、この実施の形態におけるコントローラ装置２００の機能ブロックの構成の一例を示すブロック構成図である。
コントローラ装置２００は、実施の形態１と異なり、受信回路２１０を有さない。
設定値データは、パソコン１００から直接あるいは間接に、赤外線通信により、コントローラ装置２００に対して送信される。リモコン受光回路２４０は、パソコン１００から直接あるいは間接に送信された設定値データを受信する。
増幅率記憶部２２１は、リモコン受光回路２４０が受信した設定値データからセンサ電圧増幅率を取得し、記憶する。
リモコン受光回路２４０が設定値データを受信した場合、目標記憶部２２４は、リモコン受光回路２４０が受信した設定値データから目標データを取得し、記憶する。
【００３３】
このように、設定値データを受信回路２１０が受信するのではなく、リモコン受光回路２４０が受信することにより、コントローラ装置２００の構成を簡単にすることができ、コントローラ装置２００の製造コストを削減することができる。
【符号の説明】
【００３４】
１００  パソコン、１１１  部屋形状記憶部、１１２  反射率記憶部、１２１  照明器具記憶部、１２２  照明器具配置記憶部、１３１  照度センサ記憶部、１３２  照度センサ配置記憶部、１４１  基準電圧記憶部、１５１  照度算出部、１５２  反射光算出部、１５３  センサ電圧算出部、１５４  増幅率算出部、１６１  増幅率出力部、２００  コントローラ装置、２１０  受信回路、２２０  マイコン、２２１  増幅率記憶部、２２２  増幅率制御信号生成部、２２３  ＡＤＣ、２２４  目標記憶部、２２５  明るさ比較部、２２６  調光度記憶部、２２７  調光度増減部、２２８  調光信号生成部、２３０  可変増幅器、２４０  リモコン受光回路、８００  照明制御システム、８１０  照度センサ、８２０  照明器具、８３０  リモコン、９１１  ＣＰＵ、９２０  ＨＤＤ。
【図１】
2010251170.tif 000003
【図２】
2010251170.tif 000004
【図３】
2010251170.tif 000005
【図４】
2010251170.tif 000006
【図５】
2010251170.tif 000007
【図６】
2010251170.tif 000008